【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
記録方式で定められる１フィールド期間内に複数回の露光及び読み出しに係る動作を行い、画像を電気信号に変換する撮像手段と、
前記撮像手段で撮像された画像に係る輝度変化量を算出する輝度変化量算出手段と、
加算途中の画像信号を保持するメモリを有し、前記撮像手段の出力信号と前記メモリに保持された画像信号との加算処理を行って、所定枚数分の画像の合成画像信号を出力する累算手段と、
前記累算手段を制御する制御手段と、
前記累算手段の出力信号又は前記メモリの出力信号に信号処理を施す信号処理手段と、
前記信号処理手段により信号処理が施された信号に符号化処理を施すとともに、次の符号化処理で生成するピクチャの画像タイプを示す第１の情報を出力する符号化処理手段とを備え、
前記輝度変化量算出手段は、算出した輝度値と、保持している前回算出の輝度値とを比較し、
前記制御手段は、前記輝度変化量算出手段による比較の結果、輝度値が増加しているとともに変化量が所定の値よりも大きく、かつ前記符号化処理手段が前回の符号化処理のときに出力した前記第１の情報がＢピクチャ又はＰピクチャを示すものである場合には、前記累算手段での加算処理を途中で終了させることを特徴とする撮像装置。
【請求項２】
前記信号処理手段は、前記累算手段の出力信号又は前記メモリの出力信号を１フィールド期間保持する保持手段と、
前記保持手段の出力信号にカメラ信号処理を施すカメラ信号処理手段とを有することを特徴とする請求項１記載の撮像装置。
【請求項３】
前記輝度変化量算出手段は、１フレーム期間毎に前記輝度変化量を算出することを特徴とする請求項１又は２記載の撮像装置。
【請求項４】
前記輝度変化量算出手段は、前記撮像手段における蓄積期間毎に前記輝度変化量を算出することを特徴とする請求項１又は２記載の撮像装置。
【請求項５】
記録方式で定められるフィールド期間に対して、１フィールド期間内に複数回の露光及び読み出しに係る動作を行い、画像を電気信号に変換する撮像手段と、
加算途中の画像信号を保持するメモリを有し、前記撮像手段の出力信号と前記メモリに保持された画像信号との加算処理を行って、所定枚数分の画像の合成画像信号を出力する累算手段と、
前記累算手段の出力信号に基づいて、画像の輝度変化量を１フレーム期間毎に算出する輝度変化量算出手段と、
前記輝度変化量算出手段の出力信号に応じて、前記累算手段の制御信号を出力する制御手段と、
前記累算手段の出力信号又は前記メモリの出力信号の一方を選択し出力する選択手段と、
前記選択手段の出力信号を前記記録方式で定められるフィールド期間保持する保持手段と、
前記保持手段の出力信号にカメラ信号処理を施すカメラ信号処理手段と、
前記カメラ信号処理手段の出力信号に符号化処理を施す符号化処理手段とを備え、
前記符号化処理手段は、次の符号化処理で生成するピクチャの画像タイプを示す情報を第１の情報として出力し、
前記輝度変化量算出手段は、前記累算手段の出力信号に基づいて算出した輝度値と保持していた前回算出の輝度値との比較を行い、輝度変化量が所定の値よりも大きく、かつ前記累算手段の出力信号に基づいて算出した輝度値が増加しているか否かを示す輝度変化検出信号を出力し、
前記制御手段は、前記輝度変化量算出手段からの輝度変化検出信号及び前記符号化処理手段が前回の符号化処理のときに出力した第１の情報により、前記輝度変化検出信号が増加を示し、かつ前記第１の情報がＢピクチャ又はＰピクチャを示す場合には、加算処理を途中で終了するように前記累算手段に制御信号を出力することを特徴とする撮像装置。
【請求項６】
記録方式で定められるフィールド期間に対して、１フィールド期間内に複数回の露光及び読み出しに係る動作を行い、画像を電気信号に変換する撮像手段と、
加算途中の画像信号を保持するメモリを有し、前記撮像手段の出力信号と前記メモリに保持された画像信号との加算処理を行って、所定枚数分の画像の合成画像信号を出力する累算手段と、
前記撮像手段の出力信号に基づいて、画像の輝度変化量を前記撮像手段の蓄積期間毎に算出する輝度変化量算出手段と、
前記輝度変化量算出手段の出力信号に応じて、前記累算手段の制御信号を出力する制御手段と、
前記累算手段の出力信号を前記記録方式で定められるフィールド期間保持する保持手段と、
前記保持手段の出力信号にカメラ信号処理を施すカメラ信号処理手段と、
前記カメラ信号処理手段の出力信号に符号化処理を施す符号化処理手段とを備え、
前記符号化処理手段は、次の符号化処理で生成するピクチャの画像タイプを示す情報を第１の情報として出力し、
前記輝度変化量算出手段は、前記累算手段の出力信号に基づいて算出した輝度値と保持していた前回算出の輝度値との比較を行い、輝度変化量が所定の値よりも大きく、かつ前記累算手段の出力信号に基づいて算出した輝度値が増加しているか否かを示す輝度変化検出信号を出力し、
前記制御手段は、前記輝度変化量算出手段からの輝度変化検出信号及び前記符号化処理手段が前回の符号化処理のときに出力した第１の情報により、前記輝度変化検出信号が増加を示し、かつ前記第１の情報がＢピクチャ又はＰピクチャを示す場合には、加算処理を途中で終了するように前記累算手段に制御信号を出力することを特徴とする撮像装置。
【請求項７】
入射光量を制御するアイリスを備え、
前記制御手段は、
前記輝度変化量算出手段による比較の結果、輝度値が増加しているとともに変化量の絶対値が所定の値よりも大きく、かつ前記符号化処理手段が前回の符号化処理のときに出力した前記第１の情報がＢピクチャ又はＰピクチャを示すものである場合には、アイリスを絞るように前記アイリスを制御し、
前記輝度変化量算出手段による比較の結果、輝度値が減少しているとともに変化量の絶対値が所定の値よりも大きく、かつ前記符号化処理手段が前回の符号化処理のときに出力した前記第１の情報がＢピクチャ又はＰピクチャを示すものである場合には、アイリスを開くように前記アイリスを制御することを特徴とする請求項１〜６の何れか１項に記載の撮像装置。
【請求項８】
前記累算手段は、前記制御手段による制御が引き続き加算処理を行わせるためのものであるときは、前記撮像手段の出力信号と前記メモリに保持された画像信号との加算処理を行い出力し、前記制御手段による制御が加算処理を終了させるためのものであるときは、前記加算処理を行わずに前記メモリに保持された画像信号を出力信号として出力することを特徴とする請求項１〜７の何れか１項に記載の撮像装置。
【請求項９】
記録方式で定められる１フィールド期間内に複数回の露光及び読み出しに係る動作を行い、画像を電気信号に変換する撮像工程と、
前記撮像工程で撮像された画像に係る輝度変化量を算出する輝度変化量算出工程と、
加算途中の画像信号をメモリに保持させる工程を含み、前記撮像工程での出力と前記メモリに保持された画像信号との加算処理を行って、所定枚数分の画像の合成画像信号を出力する累算工程と、
前記累算工程に係る制御を行う制御工程と、
前記累算工程での出力又は前記メモリの出力に信号処理を施す信号処理工程と、
前記信号処理工程にて信号処理が施された信号に符号化処理を施し、かつ次の符号化処理で生成するピクチャの画像タイプを示す第１の情報を出力する符号化処理工程とを有し、
前記輝度変化量算出工程では、算出した輝度値と、保持している前回算出の輝度値とを比較し、
前記制御工程では、前記輝度変化量算出工程での比較の結果、輝度値が増加しているとともに変化量が所定の値よりも大きく、かつ前記符号化処理工程にて前回の符号化処理のときに出力した前記第１の情報がＢピクチャ又はＰピクチャを示すものである場合には、前記累算工程での加算処理を途中で終了させることを特徴とする撮像方法。
【手続補正２】
【補正対象書類名】明細書
【補正対象項目名】０００９
【補正方法】変更
【補正の内容】
【０００９】
本発明の撮像装置は、記録方式で定められる１フィールド期間内に複数回の露光及び読み出しに係る動作を行い、画像を電気信号に変換する撮像手段と、前記撮像手段で撮像された画像に係る輝度変化量を算出する輝度変化量算出手段と、加算途中の画像信号を保持するメモリを有し、前記撮像手段の出力信号と前記メモリに保持された画像信号との加算処理を行って、所定枚数分の画像の合成画像信号を出力する累算手段と、前記累算手段を制御する制御手段と、前記累算手段の出力信号又は前記メモリの出力信号に信号処理を施す信号処理手段と、前記信号処理手段により信号処理が施された信号に符号化処理を施すとともに、次の符号化処理で生成するピクチャの画像タイプを示す第１の情報を出力する符号化処理手段とを備え、前記輝度変化量算出手段は、算出した輝度値と、保持している前回算出の輝度値とを比較し、前記制御手段は、前記輝度変化量算出手段による比較の結果、輝度値が増加しているとともに変化量が所定の値よりも大きく、かつ前記符号化処理手段が前回の符号化処理のときに出力した前記第１の情報がＢピクチャ又はＰピクチャを示すものである場合には、前記累算手段での加算処理を途中で終了させることを特徴とする。
本発明の撮像装置は、記録方式で定められるフィールド期間に対して、１フィールド期間内に複数回の露光及び読み出しに係る動作を行い、画像を電気信号に変換する撮像手段と、加算途中の画像信号を保持するメモリを有し、前記撮像手段の出力信号と前記メモリに保持された画像信号との加算処理を行って、所定枚数分の画像の合成画像信号を出力する累算手段と、前記累算手段の出力信号に基づいて、画像の輝度変化量を１フレーム期間毎に算出する輝度変化量算出手段と、前記輝度変化量算出手段の出力信号に応じて、前記累算手段の制御信号を出力する制御手段と、前記累算手段の出力信号又は前記メモリの出力信号の一方を選択し出力する選択手段と、前記選択手段の出力信号を前記記録方式で定められるフィールド期間保持する保持手段と、前記保持手段の出力信号にカメラ信号処理を施すカメラ信号処理手段と、前記カメラ信号処理手段の出力信号に符号化処理を施す符号化処理手段とを備え、前記符号化処理手段は、次の符号化処理で生成するピクチャの画像タイプを示す情報を第１の情報として出力し、前記輝度変化量算出手段は、前記累算手段の出力信号に基づいて算出した輝度値と保持していた前回算出の輝度値との比較を行い、輝度変化量が所定の値よりも大きく、かつ前記累算手段の出力信号に基づいて算出した輝度値が増加しているか否かを示す輝度変化検出信号を出力し、前記制御手段は、前記輝度変化量算出手段からの輝度変化検出信号及び前記符号化処理手段が前回の符号化処理のときに出力した第１の情報により、前記輝度変化検出信号が増加を示し、かつ前記第１の情報がＢピクチャ又はＰピクチャを示す場合には、加算処理を途中で終了するように前記累算手段に制御信号を出力することを特徴とする。
本発明の撮像装置は、記録方式で定められるフィールド期間に対して、１フィールド期間内に複数回の露光及び読み出しに係る動作を行い、画像を電気信号に変換する撮像手段と、加算途中の画像信号を保持するメモリを有し、前記撮像手段の出力信号と前記メモリに保持された画像信号との加算処理を行って、所定枚数分の画像の合成画像信号を出力する累算手段と、前記撮像手段の出力信号に基づいて、画像の輝度変化量を前記撮像手段の蓄積期間毎に算出する輝度変化量算出手段と、前記輝度変化量算出手段の出力信号に応じて、前記累算手段の制御信号を出力する制御手段と、前記累算手段の出力信号を前記記録方式で定められるフィールド期間保持する保持手段と、前記保持手段の出力信号にカメラ信号処理を施すカメラ信号処理手段と、前記カメラ信号処理手段の出力信号に符号化処理を施す符号化処理手段とを備え、前記符号化処理手段は、次の符号化処理で生成するピクチャの画像タイプを示す情報を第１の情報として出力し、前記輝度変化量算出手段は、前記累算手段の出力信号に基づいて算出した輝度値と保持していた前回算出の輝度値との比較を行い、輝度変化量が所定の値よりも大きく、かつ前記累算手段の出力信号に基づいて算出した輝度値が増加しているか否かを示す輝度変化検出信号を出力し、前記制御手段は、前記輝度変化量算出手段からの輝度変化検出信号及び前記符号化処理手段が前回の符号化処理のときに出力した第１の情報により、前記輝度変化検出信号が増加を示し、かつ前記第１の情報がＢピクチャ又はＰピクチャを示す場合には、加算処理を途中で終了するように前記累算手段に制御信号を出力することを特徴とする。
本発明の撮像方法は、記録方式で定められる１フィールド期間内に複数回の露光及び読み出しに係る動作を行い、画像を電気信号に変換する撮像工程と、前記撮像工程で撮像された画像に係る輝度変化量を算出する輝度変化量算出工程と、加算途中の画像信号をメモリに保持させる工程を含み、前記撮像工程での出力と前記メモリに保持された画像信号との加算処理を行って、所定枚数分の画像の合成画像信号を出力する累算工程と、前記累算工程に係る制御を行う制御工程と、前記累算工程での出力又は前記メモリの出力に信号処理を施す信号処理工程と、前記信号処理工程にて信号処理が施された信号に符号化処理を施し、かつ次の符号化処理で生成するピクチャの画像タイプを示す第１の情報を出力する符号化処理工程とを有し、前記輝度変化量算出工程では、算出した輝度値と、保持している前回算出の輝度値とを比較し、前記制御工程では、前記輝度変化量算出工程での比較の結果、輝度値が増加しているとともに変化量が所定の値よりも大きく、かつ前記符号化処理工程にて前回の符号化処理のときに出力した前記第１の情報がＢピクチャ又はＰピクチャを示すものである場合には、前記累算工程での加算処理を途中で終了させることを特徴とする。
【手続補正３】
【補正対象書類名】明細書
【補正対象項目名】００１６
【補正方法】変更
【補正の内容】
【００１６】
累積回路４は、制御回路６Ａからの制御信号Ｓ６０に応じて、Ａ／Ｄ２の出力信号Ｓ２とフレームメモリＡ３の出力信号Ｓ３の加算処理を行い、加算した結果を出力信号Ｓ４として出力する。
【手続補正４】
【補正対象書類名】明細書
【補正対象項目名】００１７
【補正方法】変更
【補正の内容】
【００１７】
フレームメモリＡ３は、累算回路４の出力信号（累算回路４での加算処理結果）Ｓ４を１フレーム分保持して出力信号Ｓ３として出力する。フレームメモリＡ３は、２バンク制御で使用される。具体的には、フレームメモリＡ３は、入力データの書き込みを行う領域と出力用データの読み出しを行う領域とを区別し、これらの領域を周期的に切り替えて使用することで、書き込み及び読み出しのタイミング調整を意識することなく処理を行うことができる。
【手続補正５】
【補正対象書類名】明細書
【補正対象項目名】００２１
【補正方法】変更
【補正の内容】
【００２１】
保持手段としてのフレームメモリＢ８は、選択回路７の出力信号Ｓ７をカメラ信号処理回路９で使用するカメラ信号処理用の画像データとして１フィールド期間保持する。フレームメモリＢ８に保持された画像データは出力信号Ｓ８として出力される。フレームメモリＢ８は、２バンク制御で使用される。具体的には、フレームメモリＢ８は、入力データの書き込みを行う領域と出力用データの読み出しを行う領域とを区別し、これらの領域を周期的に切り替えて使用することで、書き込み及び読み出しのタイミング調整を意識することなく処理を行うことができる。なお、書き込みが行われるデータである選択回路７の出力信号Ｓ７は、撮像素子１の蓄積のタイミングで更新可能であるため、１フィールド期間よりも短い期間で更新されることがある。一方、カメラ信号処理回路９は１フィールド期間で読み出しを行う。